(57)【要約】【課題】イオン交換樹脂を用いることなく、６価クロムを還元処理した際の放流排水中の周辺環境に悪影響を与える可能性のある物質の濃度を従来に較べて大幅に低減することができ、環境に優しい廃液処理方法及び廃液処理装置を提供する。【解決手段】６価クロムが溶解した廃液Ａ１は、ｐＨ（酸性）調整工程Ａ２において、ギ酸の添加Ａ８が行われ、ｐＨを酸性に調整された後、還元工程Ａ３において、過酸化水素の添加Ａ９が行われ、６価クロムが３価クロムに還元される。次に、廃液中の過酸化水素分解工程Ａ４において、カタラーゼの添加Ａ１０が行われ、過酸化水素が分解された後、ｐＨ（アルカリ性）調整工程Ａ５において、アルカリ剤の添加Ａ１１が行われ、水酸化クロムが生成され、凝縮沈殿分離工程Ａ６において、沈殿物（水酸化クロム）Ａ７と、上澄み液Ｂ１とに分離される。【選択図】図１
2005342694.tif 000002
【特許請求の範囲】
【請求項１】
６価クロムを含む廃液を処理する廃液処理方法であって、
前記廃液中にギ酸を添加して前記廃液のｐＨを酸性に調整するｐＨ（酸性）調整工程と、
前記ｐＨ調整工程の後の前記廃液に過酸化水素を添加して前記廃液中に含まれる６価クロムを３価クロムに還元する還元工程と、
前記還元工程の後の前記廃液中に残留する過酸化水素を分解する過酸化水素分解工程と、
前記過酸化水素分解工程の後の前記廃液のｐＨをアルカリ性に調整して水酸化クロムを生成するｐＨ（アルカリ性）調整工程と
を有することを特徴とする廃液処理方法。
【請求項２】
前記過酸化水素分解工程において、過酸化水素をカタラーゼによって水と酸素に分解することを特徴とする請求項１記載の廃液処理方法。
【請求項３】
前記ｐＨ（アルカリ性）調整工程の後、前記水酸化クロムを凝集、沈殿させて水酸化クロム沈殿物と上澄み液とを分離する凝集沈殿分離工程と、
前記凝集沈殿分離工程の後、前記上澄み液に過酸化水素を添加して残留するギ酸を分解するギ酸分解工程と、
前記ギ酸分解工程の後、前記上澄み液に残留する過酸化水素を分解する上澄み液の過酸化水素分解工程と、
前記上澄み液の過酸化水素分解工程の後、無機酸を添加してｐＨを中性に調整するｐＨ（中性）調整工程と
をさらに具備することを特徴とする請求項１又は２記載の廃液処理方法。
【請求項４】
前記上澄み液の過酸化水素分解工程において、過酸化水素をカタラーゼによって水と酸素に分解することを特徴とする請求項３記載の廃液処理方法。
【請求項５】
６価クロムを含む廃液を処理する廃液処理装置であって、
前記廃液中にギ酸を添加して前記廃液のｐＨを酸性に調整し、この後前記廃液に過酸化水素を添加して前記廃液中に含まれる６価クロムを３価クロムに還元するｐＨ調整還元槽と、
前記ｐＨ調整還元槽から移送された前記廃液中に残留する過酸化水素を分解し、この後、前記廃液のｐＨをアルカリ性に調整して水酸化クロムを生成する分解ｐＨ調整槽と、
前記分解ｐＨ調整槽から移送された前記廃液中の水酸化クロムを凝集させる水酸化物凝集槽と、
前記水酸化物凝集槽から移送された前記廃液中の水酸化クロムを沈殿させて水酸化クロム沈殿物と上澄み液とを分離する固液分離槽と、
前記固液分離槽から移送された前記上澄み液に過酸化水素を添加して残留するギ酸を分解し、この後過酸化水素を分解する分解槽と、
前記分解槽から移送された前記上澄み液のｐＨを中性に調整するｐＨ調整槽と
を具備したことを特徴とする廃液処理装置。
【請求項６】
前記分解ｐＨ調整槽及び前記分解槽に、過酸化水素を分解するためのカタラーゼを供給するカタラーゼ供給機構が設けられていることを特徴とする請求項５記載の廃液処理装置。
【発明の詳細な説明】
【技術分野】
【０００１】
本発明は、クロムメッキ処理工程、クロメート処理工程あるいは製錬工程などにおいて発生する６価クロムを含む廃液を処理する廃液処理方法および廃液処理装置に関する。
【背景技術】
【０００２】
クロムメッキ処理工程、クロメート処理工程あるいは製錬工程などから発生する廃液中の６価クロムは、有害物質に指定されているため、廃液処理した後の排水濃度は厳しく規制されている。
【０００３】
従来知られている６価クロムを含む廃液を処理する処理システムの構成の一例を図６に示す。同図に示す処理システムは、６価クロムが溶解した廃液を貯溜する原水槽２２、原水ポンプ２３、還元槽２４、廃液中和槽２５、凝集槽２６、沈殿槽２７などで構成されている。
【０００４】
廃液は、原水槽２２から、原水ポンプ２３によって還元槽２４に移送される。還元槽２４では、まず硫酸３５を添加し、酸化力の強いニクロム酸（Ｃｒ2 Ｏ7 2-）を生成する。次に、亜硫酸水素ナトリウム３６を添加し、６価クロムを３価クロムに還元する。
【０００５】
次に、廃液は、廃液中和槽２５に移送される。そして、廃液中和槽２５では、苛性ソーダ３７を添加し、水酸化クロム沈殿物を生成する。
【０００６】
この後、廃液を凝集槽２６に移送し、高分子助剤３８を添加して、水酸化クロム沈殿物を凝集させる。
【０００７】
次に、廃液を沈殿槽２７に移送して沈殿物と上澄み液とに分離し、水酸化クロム沈殿物は、排汚泥ポンプ２８により汚泥濃縮・脱水設備２９に移送され保管される。一方、上澄み液は、上澄み液処理システムにおいて処理される。この上澄み液処理システムは、中間水槽３０、ろ過水ポンプ３１、ろ過器３２、上澄み液中和槽３３、監視槽３４などから構成されている。上澄み液中和槽３３においては、硫酸３９、苛性ソーダ４０の添加によって上澄み液のｐＨを中性に調整し、処理された上澄み液は放流される。
【０００８】
上記の処理システムのように、従来の６価クロムを含む廃液の処理方法としては、ｐＨ調整剤として硫酸などの無機酸を添加し、二価鉄または亜硫酸により６価クロムを３価クロムに還元し、次に苛性ソーダなどのアルカリ剤を添加して３価クロムを水酸化クロムとして沈殿させ廃液から除去する方法が知られている（たとえば、非特許文献１、特許文献１参照。）。
【０００９】
また、硫酸によってｐＨを調整した後、過酸化水素を用いて６価クロムを３価クロムに還元し、過剰な過酸化水素をカタラーゼによって分解する方法も知られている（たとえば、特許文献２参照）。
【００１０】
さらに、廃液中にクロムイオンと過酸化水素が含まれている場合に、触媒を充填した過酸化水素分解塔にこの廃液を通水して過酸化水素を分解し、この後、廃液をイオン交換樹脂塔に通水してクロムイオンを除去する方法も知られている（たとえば、特許文献３参照）。
【非特許文献１】編者  公害防止の技術と法規編集委員会，「公害防止の技術と法規  ［水質編］」，平成8 年4 月1 日，第248 〜253 頁
【特許文献１】特開平１０−２７７５６５号公報（２−５頁）
【特許文献２】特開平０９−２０６７６３号公報（２−３頁）
【特許文献３】特開平０８−２４８９号公報（２−３頁）
【発明の開示】
【発明が解決しようとする課題】
【００１１】
上述した従来の処理システムにおける廃液処理方法は、既に数多くの実績があり、廃水中の６価クロム濃度は、水質汚濁防止法の基準値（０．５ｐｐｍ）のみならず、人と環境の保護に関する規制値（０．０５ｐｐｍ）も充分にクリアーする技術である。
【００１２】
しかしながら、放流される排水には、多量の硫酸ナトリウムなどが含まれている。現状、硫酸ナトリウムは有害物質に指定されていないが、多量の化学物質が河川や海に放流され続けた場合、将来的には周辺環境への影響が懸念されるという課題がある。また、イオン交換樹脂を用いた場合、イオン交換樹脂が高価であり、また、イオン交換樹脂を再生する際に再生廃液が発生するため排水量が多い場合に適さないという課題がある。
【００１３】
本発明は、上記のような従来の事情に対処してなされたもので、イオン交換樹脂を用いることなく、６価クロムを還元処理した際の放流排水中の周辺環境に悪影響を与える可能性のある物質の濃度を従来に較べて大幅に低減することができ、環境に優しい廃液処理方法及び廃液処理装置を提供しようとするものである。
【課題を解決するための手段】
【００１４】
上記目的を達成するために、本発明の廃液処理方法は、６価クロムを含む廃液を処理する廃液処理方法であって、前記廃液中にギ酸を添加して前記廃液のｐＨを酸性に調整するｐＨ（酸性）調整工程と、前記ｐＨ調整工程の後の前記廃液に過酸化水素を添加して前記廃液中に含まれる６価クロムを３価クロムに還元する還元工程と、前記還元工程の後の前記廃液中に残留する過酸化水素を分解する過酸化水素分解工程と、前記過酸化水素分解工程の後の前記廃液のｐＨをアルカリ性に調整して水酸化クロムを生成するｐＨ（アルカリ性）調整工程とを有することを特徴とする。
【００１５】
また、本発明の廃液処理装置は、６価クロムを含む廃液を処理する廃液処理装置であって、前記廃液中にギ酸を添加して前記廃液のｐＨを酸性に調整し、この後前記廃液に過酸化水素を添加して前記廃液中に含まれる６価クロムを３価クロムに還元するｐＨ調整還元槽と、前記ｐＨ調整還元槽から移送された前記廃液中に残留する過酸化水素を分解し、この後、前記廃液のｐＨをアルカリ性に調整して水酸化クロムを生成する分解ｐＨ調整槽と、前記分解ｐＨ調整槽から移送された前記廃液中の水酸化クロムを凝集させる水酸化物凝集槽と、前記水酸化物凝集槽から移送された前記廃液中の水酸化クロムを沈殿させて水酸化クロム沈殿物と上澄み液とを分離する固液分離槽と、前記固液分離槽から移送された前記上澄み液に過酸化水素を添加して残留するギ酸を分解し、この後過酸化水素を分解する分解槽と、前記分解槽から移送された前記上澄み液のｐＨを中性に調整するｐＨ調整槽とを具備したことを特徴とする。
【発明の効果】
【００１６】
本発明によれば、イオン交換樹脂を用いることなく、６価クロムを還元処理した際の放流排水中の周辺環境に悪影響を与える可能性のある物質の濃度を従来に較べて大幅に低減することができ、環境に優しい廃液処理方法及び廃液処理装置を提供することができる。
【発明を実施するための最良の形態】
【００１７】
以下、本発明の実施の形態について図面を参照して説明する。
【００１８】
図１は、本発明の処理方法の実施形態の構成を示すものである。同図において、Ａは廃液処理工程を示しており、Ｂは上澄み液処理工程を示している。廃液処理工程Ａでは、６価クロムが溶解した廃液Ａ１は、まずｐＨ（酸性）調整工程Ａ２において、ギ酸の添加Ａ８によって、そのｐＨが酸性に調整される。
【００１９】
次に、還元工程Ａ３において、廃液Ａ１に過酸化水素の添加Ａ９が行われ、廃液Ａ１中の６価クロムを３価クロムに還元する。
【００２０】
次に、廃液中の過酸化水素分解工程Ａ４において、カタラーゼの添加Ａ１０が行われ、廃液Ａ１中に残留する過酸化水素が分解される。
【００２１】
次に、ｐＨ（アルカリ性）調整工程Ａ５において、アルカリ剤の添加Ａ１１が行われ、水酸化クロムが生成される。
【００２２】
そして、凝縮沈殿分離工程Ａ６において、沈殿物（水酸化クロム）Ａ７と、上澄み液Ｂ１とに分離され、沈殿物Ａ７は脱水保管される。
【００２３】
一方、上澄み液Ｂ１は、上澄み液処理工程Ｂで処理される。上澄み液処理工程Ｂは、ギ酸分解工程Ｂ２、上澄み液の過酸化水素分解工程Ｂ３、ｐＨ（中性）調整工程Ｂ４で構成され、上澄み液Ｂ１は無害化される。
【００２４】
上記ギ酸分解工程Ｂ２では、過酸化水素の添加Ｂ５が行われ、上澄み液Ｂ１に残留するギ酸が分解される。上澄み液の過酸化水素分解工程Ｂ３では、カタラーゼの添加Ｂ６が行われ、上澄み液Ｂ１に残留する過酸化水素が分解される。そして、ｐＨ（中性）調整工程Ｂ４では、無機酸の添加Ｂ７が行われ、上澄み液Ｂ１のｐＨを中性にし、この後放流される。
【００２５】
また、図２は、上記の方法を実施するための廃液処理装置の実施形態の構成を示すものである。同図に示すように、廃液処理装置は、６価クロム含有廃液供給部１、ｐＨ調整還元槽２、分解ｐＨ調整槽３、水酸化物凝集槽４、固液分離槽５、スラッジ移送ポンプ６、水酸化物脱水設備７、分離槽８、分解液移送ポンプ９、フィルター１０、ｐＨ調整槽１１、排水監視設備１２などで構成されている。
【００２６】
ｐＨ調整還元槽２には、ギ酸注入部１３と過酸化水素注入部１４が付設されている。そして、６価クロム含有廃液供給部１から移送された廃液にギ酸注入部１３からギ酸を注入してｐＨを酸性に調整し、この後、過酸化水素注入部１４から過酸化水素を注入して、廃液中の６価クロムを還元して３価クロムとする。この廃液は次に分解・ｐＨ調整槽３に移送される。
【００２７】
分解ｐＨ調整槽３には、カタラーゼ注入部１５とアルカリ剤注入部１６が付設されている。そして、分解ｐＨ調整槽３に移送された廃液にまずカタラーゼ注入部１５からカタラーゼを注入して、廃液中の過酸化水素を分解する。この後、アルカリ剤注入部１６からアルカリ剤が注入され、水酸化クロムが生成される。この廃液は次に水酸化物凝集槽４に移送される。
【００２８】
水酸化物凝集槽４には、高分子助剤注入部１７が付設されている。そして、水酸化物凝集槽４に移送された廃液にこの高分子助剤注入部１７から高分子助剤が注入され、水酸化クロムの凝集が行われる。この廃液は次に固液分離槽５に移送される。
【００２９】
固液分離槽５では、固体沈殿物（水酸化クロム）と上澄み液とに分離され、固体はスラッジ移送ポンプ６で水酸化物脱水設備７に移送されて保管される。一方、上澄み液は、まず分離槽８に移送される。
【００３０】
分離槽８には、過酸化水素水注入部１８とカタラーゼ注入部１９が付設されている。そして、まず上澄み液に過酸化水素注入部１８から過酸化水素が注入され、上澄み液中に残留するギ酸が分解される。この後、カタラーゼ注入部１９からカタラーゼが注入され、上澄み液中の過酸化水素が分解される。次に、上澄み液は、分解液移送ポンプ９により、フィルター１０を介して、ｐＨ調整槽１１に移送される。
【００３１】
ｐＨ調整槽１１には、無機酸注入部２０とアルカリ剤注入部２１が付設されている。そして、これらから無機酸及びアルカリ剤が注入され、上澄み液のｐＨが中性に調整される。この後上澄み液は、排水監視設備１２で監視しながら放流される。
【００３２】
次に、クロメート（Ｋ2 ＣｒＯ4 ）含有廃液Ａ１を処理する場合について、本実施形態における化学的な作用について説明する。
【００３３】
クロメート（Ｋ2 ＣｒＯ4 ）含有廃液Ａ１の廃液処理を開始する時点で廃液のｐＨは、８〜９のアルカリ性である。このｐＨでは、廃液中の６価クロムは（Ｃｒ6+）は、（１）式に示すように酸化還元電位が小さく酸化力の弱いクロム酸イオン（ＣｒＯ４2-）として存在する。
【００３４】
ＣｒＯ４2-＋４Ｈ2 Ｏ＋３ｅ- ＝Ｃｒ（ＯＨ）3 ＋５ＯＨ-   Ｅ°＝-0.13 Ｖ  （１）  この電位では、還元剤で３価クロムに還元されないため、廃液のｐＨを酸性にして（２）式に示す酸化還元電位が大きく酸化力の強いニクロム酸イオン（Ｃｒ2 Ｏ7 2-）を生成する。
【００３５】
Ｃｒ2 Ｏ7 2-＋14Ｈ+ ＋６ｅ- ＝２Ｃｒ3+＋７Ｈ2 Ｏ    Ｅ°＝+1.33 Ｖ    （２）
【００３６】
このため、ｐＨ（酸性）調整工程Ａ２において、ｐＨ調整剤としてギ酸（ＨＣＯＯＨ）Ａ８を添加し、廃液のｐＨを酸性に調整する。このように、ｐＨ調整剤として、炭酸ガスと水に分解可能なギ酸を用いる。ギ酸注入により、（３）式に示すように二クロム酸（Ｈ2 Ｃｒ2 Ｏ7 ）が生成する。
【００３７】
２Ｋ2 ＣｒＯ4 ＋４ＨＣＯＯＨ＝Ｈ2 Ｃｒ2 Ｏ7 ＋４ＫＣＯＯＨ＋Ｈ2 Ｏ  （３）
【００３８】
次に還元工程Ａ３において、過酸化水素（Ｈ2 Ｏ2 ）の添加Ａ９を行うと、（４）式に示す反応により、二クロム酸の６価クロムは３価クロムに還元される。
【００３９】
Ｈ2 Ｃｒ2 Ｏ7 ＋６ＨＣＯＯＨ＋Ｈ2 Ｏ2 
＝２Ｃｒ（ＣＯＯＨ）3 ＋２Ｏ2 ＋５Ｈ2 Ｏ      （４）
【００４０】
この反応を確認するため、過酸化水素による６価クロムの還元試験を実施した。試験条件は、６価クロム濃度が150 ppm になるようにＫ2 ＣｒＯ4 を溶解し、その溶液にギ酸を5000 ppm添加して廃液を酸性にした。次に過酸化水素を徐々に添加し、６価クロムを３価クロムに還元した。試験結果を図３に示す。図中の縦軸は６価クロム濃度（ppm ）、横軸は規定濃度比（Ｈ2 Ｏ2 添加濃度／初期Ｃｒ6+濃度）を示している。廃液中の６価クロム濃度は、過酸化水素の添加量が約４規定濃度比で０．５ppm 以下に低下した。
【００４１】
次に、廃液中の過酸化水素分解工程Ａ４において、カタラーゼＡ１０を添加すると、残留する過酸化水素は（５）式に示す反応により、酸素と水とに分解する。
【００４２】
Ｈ2 Ｏ2 ＋カタラーゼ＝Ｈ2 Ｏ＋（1/2 ）Ｏ2           （５）
【００４３】
この反応を確認するため、廃液に残留する過酸化水素の分解試験を実施した。試験条件は、ギ酸分解後のｐＨが５．５、残留過酸化水素濃度が５０ppm 、温度が室温であり、カタラーゼは、洛東化成工業株式会社製のエンチロンＯＬ−５０（商品名）を使用した。
【００４４】
試験結果を図４に示す。図の縦軸は過酸化水素（Ｈ2 Ｏ2 ）濃度（ppm ）、横軸は時間（min ）を示している。同図に示されるとおり、過酸化水素は３０分で検出下限値０．５ppm 以下に低下した。
【００４５】
なお、この時点で残留過酸化水素を分解する理由は、次のｐＨ（アルカリ性）調整工程で廃液をアルカリ性にした際に、過酸化水素の酸化力で３価クロムが６価クロムに酸化されるのを防止するためである。
【００４６】
次に、ｐＨ（アルカリ性）調整工程Ａ５において、アルカリ剤（苛性ソーダまたは消石灰）Ａ１１を添加すると、（６）式に示す反応により３価クロムは水酸化クロムとして析出する。なお、本実施形態では、苛性ソーダを使用した。
【００４７】
Ｃｒ（ＣＯＯＨ）3 ＋３ＮａＯＨ＝Ｃｒ（ＯＨ）3 ↓＋３ＮａＣＯＯＨ  （６）
【００４８】
次に凝集沈殿分離工程Ａ６において、水酸化クロム沈殿物Ａ７と上澄み液Ｂ１に分離する。水酸化クロム沈殿物Ａ７は脱水し保管される。
【００４９】
上澄み液Ｂ１にはギ酸、ギ酸カリウム（ＫＣＯＯＨ）およびギ酸ナトリウム（ＮａＣＯＯＨ）が溶解している。上澄み液処理工程Ｂの残留ギ酸処理工程Ｂ２において、過酸化水素Ｂ５を添加して（７）式に示す反応により、ギ酸を炭酸ガス（ＣＯ2 ）と水に分解する。
【００５０】
ＨＣＯＯＨ＋Ｈ2 Ｏ2 ＝ＣＯ2 ＋２Ｈ2 Ｏ        （７）
【００５１】
過酸化水素は（８），（９）式に示すように相手の酸化還元電位によって還元剤または酸化剤として作用する。
【００５２】
Ｈ2 Ｏ2 →Ｏ2 ＋２Ｈ+ ＋２ｅ-         Ｅ°＝-0.68 Ｖ    （８）
Ｈ2 Ｏ2 ＋２Ｈ+ ＋２ｅ- →２Ｈ2 Ｏ      Ｅ°＝1.77  Ｖ    （９）
【００５３】
この時点で、上澄み液には残留過酸化水素と水酸化カリウム（ＫＯＨ）と水酸化ナトリウム（ＮａＯＨ）が溶解している。
【００５４】
次に、上澄み液の過酸化水素分解工程Ｂ３において、カタラーゼＢ６を添加すると、前述した（５）式に示した反応および図４に示した結果に基づいて、残留過酸化水素は酸素と水に分解する。なお、カタラーゼは、前記したエンチロンＯＬ−５０（商品名）の他、三菱ガス化学株式会社製のアスクスーパー（商品名）、長瀬産業株式会社製のレオネット（商品名）を使用しても同様の結果が得られた。
【００５５】
次に、ｐＨ（中性）調整工程Ｂ４において、無機酸（本実施形態では塩酸）Ｂ７を添加すると（１０）式、（１１）式に示すように、塩化カリウム（ＫＣｌ）と塩化ナトリウム（ＮａＣｌ）が生成する。
【００５６】
ＫＯＨ＋ＨＣｌ＝ＫＣｌ＋Ｈ2 Ｏ    （１０）
ＮａＯＨ＋ＨＣｌ＝ＮａＣｌ＋Ｈ2 Ｏ    （１１）
【００５７】
塩化カリウムおよび塩化ナトリウムは環境に対して無害であり、しかも塩化ナトリウムは海水の成分であるため、河川あるいは海洋に放流しても周辺環境への影響はほとんど無い。
【００５８】
次に、上記実施形態によりクロメートを処理した際の廃棄物発生量と、従来法によりクロメートを処理した際の廃棄物発生量とを試算した結果について説明する。廃棄物発生量の試算条件は、処理物がクロム酸カリウム、クロム濃度が１００ppm 、廃液量が１５００ｍ3 である。従来法は亜硫酸水素ナトリウムで還元処理した場合で説明する。クロム酸カリウムが溶解した廃液に、ｐＨ２になるように硫酸（Ｈ2 ＳＯ4 ）を添加すると、（１２）式に示す反応によりニクロム酸が生成する。
【００５９】
２Ｋ2 ＣｒＯ4 ＋３Ｈ2 ＳＯ4 
＝Ｈ2 Ｃｒ2 Ｏ7 ＋２Ｋ2 ＳＯ4 ＋Ｈ2 ＳＯ4     （１２）
【００６０】
次に、亜硫酸水素ナトリウム（ＮａＨＳＯ3 ）を添加すると（１３）式に示すように６価クロムは３価クロムに還元される。なお、亜硫酸水素ナトリウムは６価クロム濃度に対して１．３倍当量添加した。
【００６１】
２Ｈ2 Ｃｒ2 Ｏ7 ＋ＮａＨＳＯ3 ＋３Ｈ2 ＳＯ4 
＝２Ｃｒ2 （ＳＯ4 ）3 ＋３Ｎａ2 ＳＯ4 ＋８Ｈ2 Ｏ    （１３）
【００６２】
水酸化ナトリウム（ＮａＯＨ）を添加して（１４）式、（１５）式に示すように水酸化クロム（Ｃｒ（ＯＨ）3 ）、水酸化カリウム（ＫＯＨ）および硫酸ナトリウム（Ｎａ2 ＳＯ4 ）を生成する。
【００６３】
Ｃｒ2 （ＳＯ4 ）3 ＋６ＮａＯＨ＝２Ｃｒ（ＯＨ）3 ＋３Ｎａ2 ＳＯ4   （１４）
Ｋ2 ＳＯ4 ＋２ＮａＯＨ＝２ＫＯＨ＋Ｎａ2 ＳＯ4     （１５）
【００６４】
水酸化クロムは沈殿物として回収し、脱水後に保管する。上澄み液には、硫酸ナトリウム、水酸化カリウムが溶解している。この状態での上澄み液はアルカリ性であるため、硫酸を添加して（１６）式に示す反応により中和する。
【００６５】
２ＫＯＨ＋Ｈ2 ＳＯ4 ＝Ｋ2 ＳＯ4 ＋２Ｈ2 Ｏ    （１６）
【００６６】
したがって、従来法では硫酸ナトリウムと硫酸カリウム（Ｋ2 ＳＯ4 ）が放流される。
【００６７】
上述した実施形態と従来法における廃棄物発生量を試算した結果を図５に示す。保管廃棄物である水酸化クロム沈殿物の発生量は実施形態と従来法で同じである。一方、実施形態における放流される廃棄物量は、従来法の約１／１０程度である。
【００６８】
以上の様に、本実施形態では、ｐＨ調整剤として、炭酸ガスと水とに分解できるギ酸を使用し、還元剤としても、水と酸素とに分解できる過酸化水素を使用しているため、放流される周辺環境に悪影響を与える可能性のある化学物質（廃棄物）の発生量を大幅に低減できるので、環境に優しい。また、従来の既設の処理設備を利用することが可能なため、新規方法の導入に伴うコストアップを最小限に抑えることができる。さらに、再生する際に再生廃液が発生し、高価なイオン交換樹脂を必要とすることもない。
【図面の簡単な説明】
【００６９】
【図１】本発明の実施形態の処理方法の工程を示す図。
【図２】本発明の実施形態の処理装置の構成を示す図。
【図３】６価クロムを還元処理した結果を示すグラフ。
【図４】カタラーゼにより過酸化水素を分解処理した結果を示すグラフ。
【図５】本願発明の実施形態と従来方法における廃棄物発生量を試算した結果を示す図。
【図６】従来の処理方法を説明するための図。
【符号の説明】
【００７０】
Ａ１…廃液、Ａ２…ｐＨ（酸性）調整工程、Ａ３…還元工程、Ａ４…廃液中の過酸化水素分解工程、Ａ５…ｐＨ（アルカリ性）調整工程、Ａ６…凝縮沈殿分離工程、Ａ７…沈殿物、Ａ９…過酸化水素の添加、Ａ１０…カタラーゼの添加、Ａ１１…アルカリ剤の添加、Ｂ１…上澄み液、Ｂ２…ギ酸分解工程、Ｂ３…上澄み液の過酸化水素分解工程、Ｂ４…ｐＨ（中性）調整工程、Ｂ５…過酸化水素の添加、Ｂ６…カタラーゼの添加、Ｂ７…無機酸の添加。
【図１】
2005342694.tif 000003
【図２】
2005342694.tif 000004
【図３】
2005342694.tif 000005
【図４】
2005342694.tif 000006
【図５】
2005342694.tif 000007
【図６】
2005342694.tif 000008